【手続補正書】
【提出日】平成16年12月8日(2004.12.8)
【手続補正１】
【補正対象書類名】明細書
【補正対象項目名】全文
【補正方法】変更
【補正の内容】
【書類名】      明細書
【発明の名称】  釣り用擬似餌針
【特許請求の範囲】
【請求項１】  擬似餌シートをＵ字針の背面部から垂設した釣り用擬似餌針において、前記擬似餌シートが前記Ｕ字針のＵ字部の下方に傾斜伸長する可動片を備え、さらに、ハリスに垂設した該Ｕ字針の自由状態において、該Ｕ字針の重心を通る該Ｕ字針の落下方向線の区画線で区画した前記可動片の下半部分の表面積が、上半部分の表面積より大に設定された構造を特徴とする釣り用擬似餌針。
【請求項２】  ハリスの垂線と落下方向線の交角が概ね１０°である請求項１に記載の釣り用擬似餌針。
【請求項３】  擬似餌シートが、２個の該擬似餌シートを１８０°相反方向にして相互の中心線を平行にした状態において、該２個の擬似餌シートの左右側縁の全部が相互に密着接合可能の形状から成る請求項１または請求項２のいずれかに記載の釣り用擬似餌針。
【請求項４】  擬似餌シートをＵ字針の背面部から垂設した釣り用擬似餌針において、前記擬似餌シートが、パール顔料または高輝性材料を添加して成る蓄光発光層を備えた構造を特徴とする請求項１〜請求項３のいずれかに記載の釣り用擬似餌針。
【発明の詳細な説明】
【０００１】
【発明の属する技術分野】
本発明は、Ｕ字状の釣り針に擬似餌シートを設けた釣り用擬似餌針（以下、単に擬似餌針という）に関するものである。
【０００２】
【従来の技術】
Ｕ字状の釣り針（以下、Ｕ字針という）に集魚シートを設ける擬似餌針３０は（図４参照）上端にハリス１５を連結する若干長のストレート状の針元部１３の下端に、前端を針先１２と成すＵ字部１１を伸長したＵ字針１０の背面に略菱形状の樹脂質・ゴム質・魚皮製等の擬似餌シート３１を垂設する基本形態にして、その擬似餌シート３１のコーナーを針元部１３の上端に縛止固定して該菱形の対角線をＵ字針１０の背面に沿わせて垂れ下げて擬似餌として機能させる構造のもが主流を成している。
【０００３】
そして、以上の形態の擬似餌針３０が太陽光が不足する水中での視認性の向上を図る意図から、擬似餌シート３１自体に発光性を付与した形態のものが使用されている。
【０００４】
【発明が解決しようとする課題】
以上の公知例の擬似餌針３０は以下に述べる難点がある。即ち、擬似餌シート３１がＵ字針１０の側部に拡翼状を成して存在するので、水中では比重が大なるＵ字針１０が下側になって軽量な擬似餌シート３１が上位になる姿勢を呈する。
【０００５】
従って、その水中姿勢の擬似餌針３０に魚Ｆが喰いつくと、針先１２が「魚Ｆの脆い下顎３３」に刺さり易く、釣上げ性が好ましくない。そして、擬似餌針３０に近づいた魚Ｆの鰓呼吸による水流を受けて、図示点線のように擬似餌シート３１が反転してＵ字針１０を上方にする姿勢を呈すると、針先１２が魚Ｆの強固な上顎３２に刺さるので好ましい釣り上げ性が得られるものの、このようなケースはＵ字針１０が反転するための時間（ダイムラグ）を要するので、魚Ｆの瞬間的食餌行動とマッチングしないことが多く、Ｕ字針１０が上顎３２に刺さる発生確率は低い。
【０００６】
そして、魚Ｆの関心をそそるために擬似餌針３０を若干ストロークで上下作動させても、前記のＵ字針下位の水中姿勢の変化はなく、単純に上下移動して「ヒラヒラ」するので、魚Ｆの集魚性能が良好になるとは言い難く、さらに前記の発光性付与形態のものは魚の擬似餌存在の視認性向上を図るのみで、魚Ｆの食餌本能を刺激する機能が少く集魚性能が不足する。
【０００７】
本発明は、以上の従来技術の難点を解消する釣り用擬似餌針を提供するものである。
【０００８】
【課題を解決するための手段】
以上の技術課題を解決する本発明の擬似餌針は「擬似餌シートをＵ字針の背面部から垂設した釣り用擬似餌針において、前記擬似餌シートが前記Ｕ字針のＵ字部の下方に傾斜伸長する可動片を備え、さらに、ハリスに垂設した該Ｕ字針の自由状態において、該Ｕ字針の重心を通る該Ｕ字針の落下方向線の区画線で区画した前記可動片の下半部分の表面積が、上半部分の表面積より大に設定された構造」が基本構造である。
【０００９】
そして、前記基本構造のものにおいて、ハリスの垂線と落下方向線の交角が概ね１０°である態様「擬似餌シートが、２個の該擬似餌シートを１８０°相反方向にして相互の中心線を平行にした状態において、該２個の擬似餌シートの左右側縁の全部が相互に密着接合可能の形状から成る」態様、
【００１０】
さらに、擬似餌シートをＵ字針の背面部から垂設した釣り用擬似餌針において、前記擬似餌シートが、パール顔料等を添加して成る蓄光発光層を備えた構造の態様を採択する。
【００１１】
即ち、前記本発明の擬似餌針は、擬似餌シートを前記の表面積要件を有する可動片構成によって「Ｕ字針の針先を上向き姿勢」に安定維持させると共に、その可動片の跳動的水中挙動を図る思想から成り、前記態様の擬似餌針は、「パール顔料・高輝性材料」の添加付与によって擬似餌シートの水中での発光性能の特段の向上を図る思想から成るものである。
【００１２】
【作用】
前記本発明の擬似餌針は、Ｕ字針の下方に傾斜姿勢で垂れ下る擬似餌シートが前記の面積要件による水抵抗に基づいて、極めて活発に屈曲作動する躍動的水中挙動を呈して「動くものに関心を示す魚」を引き寄せる特段の集魚作用と、Ｕ字針の針先を常に上向きにする正常姿勢が維持できる。なお、この水中挙動作用については実施例の段落で詳述する。
【００１３】
そして、前記態様の擬似餌針は、擬似餌シートの蓄光発光層に添加されたパール顔料・高輝性材料によって、魚の関心度が大なる貝殻色調発光や視認方向によって色調が異なる玉虫色発光、および色調が異なる多色発光・暗中水中での高輝発光等の特有作用を奏するので優れた集魚機能が存在する。
【００１４】
【発明の実施の形態】
まず、本発明１実施例の擬似餌針１を図１・図２を参照して説明する。即ち、一端を針先１２と成すＵ字部１１に「上端をハリス１５の連結用に成すストレート形状の針元部１３」を一体にした釣り用Ｕ字針１０（以下、Ｕ字針１０という）」の背面（針元部１３の外側）に可撓性の擬似餌シート２（以下、単にシート２という）を装着して下方に垂れ下げる擬似餌針１において、このシート２は（図１（Ｃ）参照）細長平板形状のシート板にして、Ｕ字針１０の針元部１３に縛止係止する上半部分の係止片４と下半部分の可動片５がネック状の第２係止部６を介して一体に連設された形状を有している。
【００１５】
そして、可動片５は同形同大の２個の台形の底辺を接合して展開した形状の「上端・下端が幅小にして中間部が幅大」の形状を有すると共に、２個のシート２のそれぞれの中心線Ｌを平行にして相互に１８０°相反方向にして左右側縁を接合させると、その左右側縁の全長が密着接合可能になる特有形状を有している。
【００１６】
そして、（図１（Ａ）参照）Ｕ字針１０へ装着固定すると可動片５がＵ字部１１の下方へ傾斜伸長して垂れ下がる形態を呈し、ハリス１５に吊り下げた自由状態において「ハリス１５の垂線２０」と「Ｕ字針１０の重心Ｗを通ってＵ字部１１の下方に伸長し、かつ、垂線２０に対して時計方向（図示上の時計方向）に概ね１０°で交差する区画線２１（前記構成のＵ字針１０の落下方向線）」で区画された区画ポイントＰを境界として「可動片５の下半部分の表面積Ａ１」が「係止片４寄りの可動片５の上半部分の表面積Ａ２（図示ハッチング部分）」より数倍大に設定されている（なお、この表面積は平担状態の実表面積を意味する）。
【００１７】
なお、この実施例のシート２は（図１（Ｂ）参照）シート２を倒立姿勢にして係止片４の上端をＵ字針１０の針元部１３の上端に縛止固定し、しかるのち、反転させてＵ字針１０の背面に沿わせてセットして、その縛止部位に被せた係止片４を針元部１３に再縛止すると共に第２係止部６をＵ字針１０のＵ字部１１のコーナー部位に縛止固定してＵ字針１０に装着固定される。なお、この実施例のシート２は樹脂質・ゴム質にして前記の表面積比「Ａ１：Ａ２＝概ね４：１」に設定されている。
【００１８】
以上の図１実施例のものは下記の作用がある。即ち（図２（Ｂ）参照）シート２不存在の通常のＵ字針１０は、ハリス１５によって静止水中を沈下させるとき「左右の重量がアンバランスなＵ字針１０の特有形状」に基づいて「Ｕ字針１０の重心Ｗを通り、かつ、ハリス１５の垂線２０と概ね１０°で時計方向に交差してＵ字部１１の下方に伸びる区画線２１に沿って下降する」定性がある。
【００１９】
以上の水中下降特性から（図２の（Ａ）参照）境界ポイントＰで２分した前記Ａ１・Ａ２の面積比を有する可動片５つき擬似餌針１は、静止水中に近似した海水中を下降するとき、下降に伴う水抵抗を受ける可動片５がＵ字針１０のＵ字部１１の下側に巻き付いて包被する図示Ｊの形態を呈して、針先１２を上向き姿勢にして境界線２１に概ね沿って下降する。そして、停止すると図示Ｋの自由状態姿勢と成る。
【００２０】
そして、その状態からハリス１５を若干ストロークで操作して水中上下運動させると、ハリス１５の引上げ力を受ける上昇ストローク中の擬似餌針１は水抵抗によって可動片５を概ね垂直姿勢にして図示Ｌの状態で上昇し、続いて下降ストロークに転じると、ハリス１５の張力不存在の自由落下動作となる擬似餌針１は境界線２１に沿って下降し、図示Ｍ・Ｎに示す「シート２がＵ字針１０に巻き付いて包被する形態」に徐変変態して図示Ｎの最下降姿勢を呈し、続く引き上げ移動によって図示Ｌに変態して引き上げられる。そして、以上の変態中のいずれのポイントにおいてもＵ字針１０は針先１２を上方にする正常姿勢が持続される。
【００２１】
なお、前記の変態は上下スピードの遅速・水流・可動片５の左右形状バランス等によって「横振れ・捩り・変態強弱」或は、図示Ｌの点線で示す水抵抗によるオーバーラン変形等が若干存在するものの、前記基本変態がハリス１５の上下インターバルで反復されるので、擬似餌の主役として機能する可動片５は、水中で大きく屈曲して飛び跳ねる生餌の如き姿態を呈する「躍動感あふれる擬似餌」として最適の跳動挙動を奏する特有作用がある。
【００２２】
そして、シート２のその跳動挙動中も針先１２を上向きにする正常姿勢が確保され（下降作動中もＵ字針１０を反転させるに足る水抵抗モーメントを生じない）シート２の前記の動的挙動中のいかなるポイントにおいても、この擬似餌針１を喰えた魚Ｆの上顎３２に針先１２が突き刺さり、的確にして正常な釣りができる。そして、この図１実施例のものは前記の特有形状を有するので図１（Ｃ）のように、同一のシート母材から「１８０°方向変換したシート２の連続成形」が可能にして、シート２の成形性向上と母材ロスの低減ができるメリット作用がある。そして、前記の縛止手法によって係止片４をＵ字針１０に２重係止するので、縛止係止性能が安定する。
【００２３】
続いて図３を参照して本発明の擬似餌針１の他の実施例を説明する。まず、図３（Ａ）（Ｂ）に示すものはＵ字針１０にシート２を装着するものにおいて、シート２が「上半部分幅狭・下半部分幅大の頭小胴大略菱形の平坦シート」から成り、その上端コーナー部位が係止片４にして下半部分が可動片５を構成している。
【００２４】
そして、Ｕ字針１０の針元部１３へ係止片４を縛止固定すると可動片５がＵ字部１１の下方へ傾斜伸長して垂れ下がり、図１実施例のものと同様に「区画ポイントＰで区画する可動片５の下半部分の表面積Ａ１」が、上半部分の表面積Ａ２より大に設定されている。この図３（Ａ）（Ｂ）実施例のシート２つき擬似餌針１も可動片５の水中での動的挙動が図１実施例のものと近似した形態となるので、前記の特有作用が享受できる。
【００２５】
一方、図３（Ｃ）のものは図１実施例と同一形態のシート２を有するものにおいて、シート２がＵ字針１０のＵ字部１１に巻き付き変態したとき、Ｕ字針１０の針先１２を可動片５の先端部分で包み込む包被形態を有している。この図３（Ｃ）のものは魚Ｆによる針先１２の存在感知が困難にして、かつ、針先１２の上向き姿勢を維持するので、的確な喰い付き性の向上ができる。
【００２６】
なお、本発明の擬似餌針１は前記の実施例に限定されず、シート２は前記の面積要件Ａ１・Ａ２を確保するものであれば他の形状でも良く、前記例示の樹脂質・ゴム質以外に従来技術で用いられている魚皮製であっても良い。
【００２７】
続いて、前記態様の「パール顔料・高輝性材料入り蓄光発光性擬似餌シート２」を備えた擬似餌針１の実施態様を説明する。即ち、シート２をカット成形するシート母材（図示しない）を、二液性シリコーン（信越化学株式会社製のＲＴＶ）に意図する発光色の蓄光発光顔料「例えば根本特殊化学株式会社のグリーン色発光性のＧＬＬ−３００Ｍ、ブルー色発光性のＢＭ−３００Ｍ、バイオレット発光性のＶ−３００Ｃ」を、それぞれ１０重量％添加して加熱硬化させて成形するにおいて、パール顔料（例えばメルクジャパン株式会社製）を、それぞれの昼光色（基材毎に相違する）に合せて１重量％混合してパール色調の水中発光シートに成形したり、或は高輝性材料（例えばオーケー化成株式会社製のメタシャインゴールド）を１重量％混合して成形し、その母材を必要形状にカットして「パール顔料入り、または高輝性材料入り」の蓄光発光層つきシート２としてＵ字針１０に装着して擬似餌針１として構成する。
【００２８】
前記のパール色調の蓄光発光性のシート２を用いた擬似餌針１は下記の特有作用が存在する。即ち、魚類は貝殻内側の模様に関心を持つ習性からパール色調にも特有の集魚作用（昼間でも）あり、さらに前記のパール顔料は顔料を構成する酸化チタンの被覆率を変化させることによって屈折率が変化して赤色・緑色・青色等の多色の反射光を発生するので、魚種毎の好みの波長発光にして「例えばエビ類は青白光・カレイは赤色光」の水中発光形態にして集魚機能の向上ができる。そして、このパール顔料を混合した蓄光発光層は視認角度によって色感が異なる玉虫色発光をする特有作用があるので、それによる集魚作用の一段の向上と空中視認美観の向上ができる。
【００２９】
さらに、前記の高輝性付与のシート２を用いた擬似餌針１は、高輝性材料の存在によって「キラキラ」散点状に高輝発光して鱗片模様の発光をするので、集魚性が特段に向上する。そして、高輝性材料を構成する金属酸化物の膜厚調整によって「ゴールド色・シルバー色」発光も可能になり、例えばＵ字針１０のゴールド色とシート２のゴールド色発光を同一色・近似色にして同調させることによって、魚Ｆによるゴールド色のＵ字針１０の感知を困難にして擬似餌針１への喰いつき性の一段の向上が可能になる特有の作用効果がある。
【００３０】
さらに、以上の蓄光発光顔料を添加して成る本発明のシート２は、二液混合の加熱硬化による成形手法となるので、概ね０．２粍〜０．１５粍厚さの極薄シートに成形可能にして、（一般に従来のローラー工法では、ローラー中央部が混煉時のゴム圧力によって変形するので均一膜成形が困難にして厚膜になるのに対して、二液混合の加熱硬化成形は冶具精度の確保によって前記薄膜成形ができる）この極薄シートにすることによって可動片５の柔軟性が特段に向上して前記の跳動挙動の振幅が大にして活発化するので、前記の作用効果の一段の向上が可能になる。
【００３１】
なお、本発明の蓄光発光層つきシート２の構成は図１〜図３実施例のシート２のみではなく、図４に示す従来形態の集魚用シート３１にも応用する。そして、前記例示のゴム質・樹脂質のもののみではなく、従来から慣用されいる魚皮製のシート２に顔料塗布によって蓄光発光層を付与する形態も含まれる。
【００３２】
【発明の効果】
以上の説明のとおり、本発明の釣り用擬似餌針は、水中において針先を上向きにする正常姿勢が安定確保され、かつ、集魚用の可動片が活発な跳動挙動をするので、集魚性能が優れると共に、Ｕ字針の正常姿勢安定による的確な釣り上げ性と釣果の向上が促進できる。
【００３３】
そして、本発明の「パール顔料・高輝性材料入りの蓄光発光層つき擬似餌シート」を備えた釣り用擬似餌針は、それ等顔料による特有の水中発光によって集魚性能の一段の向上が促進される。以上の諸効果がある。
【図面の簡単な説明】
【図１】
第１発明の擬似餌針の１実施例を示し、（Ａ）はその全体正面図、（Ｂ）はＵ字針への擬似餌シートの装着手法の説明図、（Ｃ）は擬似餌シートの側面図
【図２】
図１実施例に擬似餌針とＵ字針の水中状態を示し、（Ａ）はその水中挙動の説明図、（Ｂ）はＵ字針の水中沈下姿勢の説明図
【図３】
第１発明の擬似餌針の他の実施例を示し、（Ａ）はその正面図、（Ｂ）は（Ａ）の擬似餌シートの装着前の展開図、（Ｃ）は他の実施例の擬似餌シートの作用状態の説明図
【図４】
従来の擬似餌針を示し、（Ａ）はその斜視図、（Ｂ）は水中状態の説明図
【符号の説明】
１  本発明の擬似餌針
２  擬似餌シート
４  係止片
５  可動片
６  第２係止部
１０  Ｕ字針
１１  Ｕ字部
１３  針元部
１５  ハリス
２０  ハリスの垂線
２１  境界線
３０  従来の擬似餌針
３１  従来の擬似餌シート
３２  魚の上顎
３３  魚の下顎
Ｆ  魚
Ｐ  境界ポイント
【手続補正２】
【補正対象書類名】図面
【補正対象項目名】図１
【補正方法】変更
【補正の内容】
【図１】
2003144010.tif 000001
【手続補正３】
【補正対象書類名】図面
【補正対象項目名】図２
【補正方法】変更
【補正の内容】
【図２】
2003144010.tif 000002
【手続補正４】
【補正対象書類名】図面
【補正対象項目名】図４
【補正方法】変更
【補正の内容】
【図４】
2003144010.tif 000003
【手続補正５】
【補正対象書類名】図面
【補正対象項目名】図５
【補正方法】削除
【補正の内容】